(57)【要約】      （修正有）【課題】単一の商品陳列用具であって、商品（自動車のハンドルカバー）の実際の使用状態に等しい陳列状態を実現し、同時に商品のストックを合理的に配置でき、コンパクトで且つ陳列性能の高い商品陳列用具を提供する。【解決手段】商品の使用状態にほぼ等しい立て掛け状態を保持する商品立てかけ部１と、商品立てかけ部の下端部に連続して奥行き方向へ突設し、在荷を横たえ状に積み置く商品ストック部２と、商品ストック部の端部に設けられ、陳列棚装置７の棚受け７１に脱着する嵌着部３とから成る。商品立てかけ部は、所定間隔開いて並列する２本の起立軸部の上端部に、水平状の短尺なパイプを連繋配備し、この短尺なパイプが陳列商品であるハンドルカバーの上部円弧に対し弦状に嵌着するものであるのが好ましい。【選択図】図１
0003194572.tif 000002
【実用新案登録請求の範囲】
【請求項１】
商品の使用状態にほぼ等しい立てかけ状態を保持する商品立てかけ部と、この商品立てかけ部の下端部に連続して奥行き方向へ突設し、在荷を横たえ状に積み置く商品ストック部と、この商品ストック部の端部に設けられ、陳列棚装置の棚受けに脱着する嵌着部とから成ることを特徴とする商品陳列用具。
【請求項２】
前記商品立てかけ部は、所定間隔開いて並列する２本の起立軸部の上端部に、水平状の短尺なパイプを連繋配備し、この水平状の短尺なパイプが陳列商品であるハンドルカバーの上部円弧に対し円弧の両端を結ぶ弦状に嵌着するものであることを特徴とする請求項１記載の商品陳列用具。
【考案の詳細な説明】
【技術分野】
【０００１】
この考案は、商品陳列用具に関する。
【背景技術】
【０００２】
図４は、従来の商品陳列用具を示す斜視図である。
この商品陳列用具は、商品、特に自動車のハンドルカバーを陳列するための陳列用具である。
【０００３】
このハンドルカバー陳列用具は、陳列棚装置７の棚受け７１に脱着可能に取り付けられる、いわゆる棚板で、所定長さの金属製棒軸６１を長さ略中央部で略Ｌ字状に折り曲げて、基端部側を略水平状の商品乗せ置き部６２とし、先端部側を上方へ立ち上がる商品落下止め部６３としている。そして、商品乗せ置き部６２の基端には、上記棚受け７１に嵌合する断面が略「コ」字状の嵌着部６４を設けている。
【０００４】
上記、陳列棚装置７は、陳列壁面にビス固定された棚柱７２と、棚柱７２、７２間に掛け渡すパイプ状の棚受け７１とから成る。棚柱７２の正面の面内には、上下方向へ一定間隔開いて開口した複数の掛止孔７３が設けられると共に、棚受け７１の両端部には掛止孔７３に嵌着する下向き鉤状の掛止片７４が設けられている。
【０００５】
使用に際しては、図４で示すように、僅かに前下がり状の商品乗せ置き部６２に対し、複数の商品・ハンドルカバー８、８、８をそれぞれ横たえた状態で重ね状に積み乗せて陳列する。
【特許文献１】特開２０１２−１８７２７２号公報
【考案の開示】
【考案が解決しようとする課題】
【０００６】
上記ハンドルカバー陳列用具の構成では、ハンドルカバーを寝かせた状態、いわゆる横置き状に陳列され、且つ各ハンドルカバーは上下方向へ積み重ねた状態で陳列している。
【０００７】
一般的に自動車のハンドルは、握る、切る等の操作上の観点から、運転者側に起き上がらせた状態、つまり垂直状態から僅かに仰向き状に立設してある。このため、需要者にとって、水平状に近い寝かせた状態に陳列されたハンドルカバーを見て、実際の使用状態（被覆状態）を想定することが容易でない。
【０００８】
更に、近年のハンドルカバーは、肌ざわり、疲れ防止などの握り感を重視する操作性ばかりでなく、実際の使用状態を念頭に商品の正面側となる面に多種多様な装飾デザインが施されている。一方、商品が横たえられ且つ積み重ね状の陳列形態では、需要者にとってハンドルカバーの意匠性が見えない許かりでなく想定すらし難く陳列効果が低い。
【０００９】
この考案は、以上のような課題を解消させ、単一の商品陳列用具であって商品の実際の使用状態に等しい陳列状態を実現し得る許かりでなく、同時に商品のストックを合理的に配置し得、コンパクトに且つ陳列性能の高い商品陳列用具を提供することを目的とする。
【課題を解決するための手段】
【００１０】
この目的を達成させるために、この考案の商品陳列用具では、次のような構成としている。
商品陳列用具は、商品の使用状態にほぼ等しい立てかけ状態を保持する商品立てかけ部と、この商品立てかけ部の下端部に連続して奥行き方向へ突設し、在荷を積み置く商品ストック部と、この商品ストック部の端部に設けられ、陳列棚装置の棚受けに脱着する嵌着部とから成る。
【考案の効果】
【００１１】
このような構成を有する商品陳列用具では、単一の商品陳列用具で商品の陳列状態の保持と，商品のストックとを同時に実現することとしたから、狭い陳列スペースを合理的、且つ有効に活用し得る。
【００１２】
また、商品立てかけ部は、商品の使用状態に等しい立てかけ状態を保持固定し得るから、商品の実際の使用状態を一見して認識できるばかりでなく、主として商品の正面側に施されているデザインなどの意匠性を具体的且つ有り体に認識でき、需要者の商品選択性が向上する。
【００１３】
更に、同じ陳列空間であって商品立てかけ部の背後に、横に寝かせた状態の商品を重ね状に配置することができるから、ストックの出し入れが容易で、狭い収容空間での操作性が良好となる。
【００１４】
また、ストック部の商品は横たえ且つ重ね状に配置しているが、商品立てかけ部がストッパーとなり、ストック商品の意に反する前方への滑り落ちを防止でき、安定した陳列状態及び在荷状態が保持できる等、考案目的を達成した優れた効果を有する。
【考案を実施するための最良の形態】
【００１５】
以下、図面に基づき本考案に係る商品陳列用具の具体的な実施の形態を説明する。
図１は、商品陳列用具すなわち自動車のハンドルカバー陳列用具を陳列棚装置７に配備する状態を示す全体斜視図である。
このハンドルカバー陳列用具Ａは、後述するハンドルカバー８の使用状態にほぼ等しい立てかけ状態を保持する商品立てかけ部１と、この商品立てかけ部１の下端部に連続し奥行き方向へ突設する商品ストック部２と、この商品ストック部２の端部に設けられ、棚受け７１に脱着する嵌着部３とから成る。
【００１６】
ハンドルカバー陳列用具Ａは、図２で示すように、例えば金属材、硬質合成樹材などの細径の丸棒軸部５を折り曲げて形成される。
所定長さを有する丸棒軸部５は、略長さ中央で略Ｖ字状に屈曲させ、起立する前側を商品立てかけ部１を構成する起立軸部５１とし、緩やかに傾斜する前下がり側を商品ストック部２を構成する横軸部５２としている。この起立軸部５１及び横軸部５２は、共に横並びの二重線として強度を企図している。
【００１７】
上記商品立てかけ部１は、上記起立軸部５１と水平状の短尺なパイプ１１とから成る。２本の起立軸部５１、５１の上端が、短尺なパイプ１１の底部の両端部に止着固定してある。また、商品ストック部２は上記横軸部５２、５２と、横軸部５２、５２の先端に設けられた断面略「コ」字状の嵌着部３とから成る。嵌着部３が陳列棚装置７の棚受け７１に対し外嵌状に嵌着し固定される。
【００１８】
この取り付け状態において、商品立てかけ部１は、実際の自動車ハンドルの設置角度とほぼ同じ角度、つまり垂直状態から僅かに仰向け状に設定され、商品ストック部２は前側へ僅かに下り傾斜状に設定されている。
【００１９】
このような構成を有するハンドルカバー陳列用具では、図３で示すように使用される。ハンドルカバー８は、筒状のリング体で内周面に一周状のスリット８１が開いている（図２参照）。ハンドルカバー８の上部円弧８２に対応するスリット８１に対し、水平状の短尺な水平状パイプ１１を嵌め入れる。
【００２０】
これにより、水平状の短尺なパイプ１１が、ハンドルカバー８の上部円弧８２の両端を結ぶ所謂「弦」状に嵌着することで、ハンドルカバー８が商品立てかけ部１に吊り下げ状に立て掛け固定され安定定位する。
【００２１】
さらに、この状態において、商品特性などのレジュメを記したセールスコピーのシートＢをハンドルカバー８の下側のスリット８１に嵌挿するとき、シートＢの裏面が起立軸部５１、５１で支承され、見やすく安定した立て掛け状態が保持され、需要者への訴求性が向上する。
【００２２】
かくして、需要者は運転席の目線にほぼ等しく、実際の使用状態に等しい角度状態でハンドルカバーを具体的に認識し得る。更に、この陳列状態のハンドルカバー８と同じ在荷（ハンドルカバー８）を、複数、横たえた状態で商品ストック部２に重ね置く。商品ストック部２の上下左右は開放状態にあり、在荷の収納・取り出しを簡易に実施できる。
【００２３】
また、商品ストック部２に重ね置きされる在荷（ハンドルカバー８）は、商品立てかけ部（起立軸部５１）１によって支承され、前方への落下防止が図られ安定した収納状態が保持される。
【図面の簡単な説明】
【００２４】
【図１】実施の形態のハンドルカバー陳列用具を陳列装置に配備する状態を示す全体斜視図である。
【図２】実施の形態のハンドルカバー陳列用具を示す斜視図である。
【図３】実施の形態のハンドルカバー陳列用具の使用状態を示す斜視図である。
【図４】従来のハンドルカバー陳列用具を示す斜視図である。
【符号の説明】
【００２５】
１      商品立てかけ部
２      商品ストック部
３      嵌着部
５      丸棒軸部
７      陳列棚装置
８      ハンドルカバー
１１    水平状の短尺なパイプ
５１    起立軸部
５２    横軸部
７１    棚受け
８１    スリット
８２    上部円弧  
【図１】
0003194572.tif 000003
【図２】
0003194572.tif 000004
【図３】
0003194572.tif 000005
【図４】
0003194572.tif 000006